(57)【要約】【課題】衛生的な水が場所を選ばず取り出せるように、水を絶えず活性化する浄水器の提供。【解決手段】本発明の浄水器は、水を活性化すると共に、水に殺菌作用を及ぼして浄化する浄水器において、水を貯留する容器内に、モーターで回転するように設けたスクリューと、該スクリューの回転で容器内の水を通過させるように設けたカートリッジと、該カートリッジ内に、不純物を吸着するフィルター層、及び／又は、粒子状のセラミックスを積層したセラミックス層と、を備え、スクリューの回転で、容器内の水が、前記セラミックス層及び前記フィルター層を通過して循環することを特徴とする。スクリューケースは、容器の上蓋に垂下もしくは容器の底蓋に起立させて設け、カートリッジが、それぞれのスクリューケースの下端、もしくは、上端に着脱自在に取り付けられていることを特徴とする。【選択図】　　　　　図１
2004089788.tif 000002
【特許請求の範囲】
【請求項１】
水を活性化すると共に、水に殺菌作用を及ぼして浄化する浄水器において、
水を貯留する容器内に、モーターで回転するように設けたスクリューと、
該スクリューの回転で容器内の水を通過させるように設けたカートリッジと、
該カートリッジ内に、不純物を吸着するフィルター層、及び／又は、粒子状のセラミックスを積層したセラミックス層と、を備え、
前記スクリューの回転で、前記容器内の水が、前記セラミックス層及び前記フィルター層を通過して循環することを特徴とする浄水器。
【請求項２】
前記スクリューは、水の入出が自在に形成されたスクリューケースに取り付けられ、前記カートリッジ内を減圧もしくは加圧することを特徴とする請求項１に記載の浄水器。
【請求項３】
前記スクリューケースは、前記容器の上蓋に垂下させて設けられ、前記スクリューケースの下端に、前記カートリッジが着脱自在に取り付けられていることを特徴とする請求項１又は請求項２に記載の浄水器。
【請求項４】
前記スクリューケースが、前記容器の底蓋に起立させて設けられ、前記スクリューケースの上端に、前記カートリッジが着脱自在に取り付けられていることを特徴とする請求項１又は請求項２に記載の浄水器。
【請求項５】
前記カートリッジは、前記セラミックス層、もしくは、前記フィルター層を収納し、それぞれのカートリッジが着脱自在に取り付けられていることを特徴とする請求項１乃至４の何れか１項に記載の浄水器。
【発明の詳細な説明】
【０００１】
【産業上の利用分野】
本発明は、水を貯留する容器内に、浄水手段を備えて構成される電動式浄水器に関する。
【０００２】
【従来の技術】
一般的に、家庭内で利用されている浄水器は、濾過層に吸着機能を備えており、水中の不純物を吸着濾過する。濾過層には、通常活性炭等の濾過材が封入されており、不純物を吸着することによる吸着機能の劣化に伴い、その濾過層を定期的に交換するように構成されている。さらに、水質を改善するように構成された浄水器に関しては、特開２００２−１３１７に、遠赤外線放射物質を充填した棚段を設置し、貯水槽の処理水を最上段に循環させて、塩素や有機物等を分解除去すると共に、天然鉱物から溶出するカルシウム、鉄などでミネラルを富化した活性の高い水を製造したものが開示されている。しかし、家庭用浄水器においては、水の導入口が、水道の蛇口に取り付けられて設置されており、取り外して移動できるようなものではなく、同様に，貯水槽の処理水を最上段に循環させるように構成した浄水器であっても、浄水器が移動可能には構成されていない。
【０００３】
【発明が解決しようとする課題】
本発明の目的は、衛生的な水が場所を選ばず取り出せるように、水を絶えず活性化する浄水器を提供することである。
【０００４】
【問題を解決するための手段】
上記目的を達成するために、本発明の浄水器は、水を活性化すると共に、水に殺菌作用を及ぼして浄化する浄水器において、水を貯留する容器内に、モーターで回転するように設けたスクリューと、該スクリューの回転で容器内の水を通過させるように設けたカートリッジと、該カートリッジ内に、不純物を吸着するフィルター層、及び／又は、粒子状のセラミックスを積層したセラミックス層と、を備え、前記スクリューの回転で、前記容器内の水が、前記セラミックス層及び前記フィルター層を通過して循環することを特徴とする。前記スクリューは、水の入出が自在に形成されたスクリューケースに取り付けられ、前記カートリッジ内を減圧もしくは加圧する。また、前記スクリューケースは、前記容器の上蓋に垂下させて設けられ、前記スクリューケースの下端に、前記カートリッジが着脱自在に取り付けられている実施の形態、もしくは、前記容器の底蓋に起立させて設けられ、前記スクリューケースの上端に、前記カートリッジが着脱自在に取り付けられていることを特徴とする。前記カートリッジは、前記セラミックス層、もしくは、前記フィルター層を収納し、それぞれのカートリッジが着脱自在に取り付けられていることを特徴とする。
【０００５】
これにより、セラミックス層が、水を活性化して水中に雑菌が繁殖しないようにし、フィルター層が、不純物（有害物質）を吸着するので、このような作用を有するカートリッジを容器内に備えて水を循環させることにより、容器内の水は浄化される。さらに、浄化された衛生的な水が場所を選ばず取り出せるものとなる。
【０００６】
【発明の実施の形態】
発明の実施の形態を図面に基き詳細に説明する。
図１は、本発明の浄水器１を示した正面図であり、図２はその平面図である。これら図１、図２に示すように、この浄水器１は、水を貯留する容器本体２０に取っ手１４を備え、給水口１２が取っ手１４と対向する前方に、突出して設けられている。この容器本体２０には、水の補給口カバー９が設けられた上蓋２１が被せられており、また、給水口１２には、給水口カバー１０が被せられている。給水口カバー１０は、上蓋２１に軸で枢支されており、上蓋２１は、バックル８で、容器本体２０に係止されている。
【０００７】
上蓋２１内には、モーター１６とモーター１６を回転させる電池１７（バッテリー）が、電池キャップカバー１１で封鎖され装着されている。このモーター１６は、回転軸を縦にして取り付けられており、その軸の先端にはマグネット１５が設けられている。そして、そのモーター１６のマグネット１５に対面させて、マグネット１５ａが取り付けられたスクリュー５が軸を縦にして設けられている。これにより、モーター１６の回転に連動して、スクリュー５が、モーター１６とは非接触で回転するようになっている。即ち、スクリュー５と、モーター１６との間に壁を介在させることができるようにして、モーター１６が収納された駆動部を防水構造としている。尚、この駆動部は、操作パネル２３に設けられたスイッチで、ＯＮ、ＯＦＦされる。
【０００８】
スクリュー５はスクリューケース１８内に設けられており、スクリューケース１８は容器本体２０の上蓋２１からその内部に垂下させて取り付けられている。このスクリューケースには、スクリュー５の回転方向に対応して、水が入出自在になるように、その側壁には、通水口３が設けられている。また、スクリューケース１８の下端は開口しており、スクリュー５の回転で、水を加圧もしくは減圧して通過できるようになっている。このようなスクリューケース１８の下端には、カートリッジ２が着脱自在に取り付けられている。このカートリッジ２内には、粒子状のセラミックスを積層したセラミックス層７、及び、不純物を吸着するフィルター層６が形成されており、スクリュー５の回転で、水が通過できるようになっている。さらに、カートリッジ２の下端は、水が通過できるように通水口４が形成されているので、容器本体内に貯留された水は、図１に示した矢印Ａのように導出された場合、矢印Ｂのように流れてカートリッジ２内に導入される。
【０００９】
カートリッジ２は、粒子状のセラミックスを積層して形成したセラミックス層７と、活性炭を封入して形成したフィルター層６とが上から順に備えられ、それぞれがコネクター１９で接続されたものである。このように接続された場合、スクリュー５の回転方向を調節し、カートリッジ２内に水がその下端より導入できるようにするのがよく、これにより、スクリューケース１８の通水口３より、活性化された水が効率よく導出されて水が浄化される。
【００１０】
セラミックス層７に充填されるセラミックスは、ＳｉＯ２、Ａｌ２Ｏ３、Ｆｅ２Ｏ３、ＴｉＯ２、ＣａＯ、Ｋ２Ｏ、Ｎａ２Ｏ、ＭｇＯ、ＭｎＯ２などの無機材料を少なくとも含んだ状態で、燒結して形成したものである。このセラミックスは、遠赤外線を放射して水を活性化し、その表面にマイナスイオンを帯電させる。これにより、セラミックス層７を通過した水の一部は、活性化し、マイナスイオンとなり水に殺菌作用を及ぼす。また、このようなマイナスイオン水は、塩素や有機物等を分解除去するのみならず、飲料水として、人体に好影響を及ぼすものとなる。
【００１１】
表１は、セラミックス層７を通過した水が、大腸菌、黄色ブドウ球菌に対して、殺菌作用を示すことを示したものである。
【表１】
2004089788.tif 000003
【００１２】
この表１は大腸菌及び黄色ブドウ球菌の培養試験結果である。即ち、大腸菌及び黄色ブドウ球菌は、２４時間後に消滅したことが示されている。この実施例において、試験液は試験菌液２５０ｍｌに複合部材３を１６３．５ｇを入れ、３０秒間攪拌後３５℃において静置したものである。また、試験菌液は、大腸菌もしくは黄色ブドウ球菌を、普通寒天倍地に移植し、３５℃で２４時間培養後、１コロニーを普通ブイヨンに接種し、３５℃で１８時間振とう培養し、この菌液をリン酸緩衝液で１０倍希釈を繰り返し、最終希釈段階で１／５００濃度普通ブイヨンを用いて調整したものである。
【００１３】
図３は、第二実施の形態を示した浄水器１の正面図である。この図３に示す浄水器１は、野外で持ち運びが便利なように、全体を円筒形状とし、上蓋２１には、コップ２４が被せられている。また、容器本体２０の上蓋２１は、回転で着脱自在なものとなっている。一方、その底蓋２２には、カートリッジ２が起立して取り付けられている。底蓋２２内には、図１の浄水器１の上蓋２１に設けられたものと同様、モーター１６とモーター１６を回転する電池１７（バッテリー）が装着されており、マグネットで、カートリッジ２のスクリュー５を回転させる。これにより、この回転に伴って、水はカートリッジ２内の水を、出水口３から導出するので（図中Ａで水の流れを示す）、カートリッジ２内を陰圧状態にして、入水口４から水を取り込む（図中Ｂで水の流れを示す）ことができる。即ち、カートリッジ２内に取り込まれた水は、セラミックス層７及びフィルター層６を通過して、出水口３から導出する循環を繰り返し、容器本体２０内に貯留している水を浄化する。
【００１４】
図４は、第三の実施の形態を示した浄水器１の正面図である。この浄水器１は、図１，２に示したものとほぼ同一の構成を有しているが、異なる点は、補給口カバー９からも給水できるようにしたことである。従って、図１、２に示した給水口１２がなく、これにより、全体として、スマートなものとなっている。
【００１５】
【発明の効果】
本発明は、以上説明したように構成されているので、衛生的な水が場所を選ばず取り出せるものとなる。また、水を活性化して水中に雑菌が繁殖しないように、セラミックス層内で水を繰り返し循環させるので、容器内の水は絶えず浄化されたものとなる。
【図面の簡単な説明】
【図１】本発明の浄水器を示した正面図である。
【図２】本発明の浄水器を示した平面図である。
【図３】第二の実施の形態を示した浄水器の正面図である。
【図４】第三の実施の形態を示した浄水器の正面図である。
【符号の説明】
１　浄水器
２　カートリッジ
３　出水口
４　入水口
５　スクリュー
６　フィルター層
７　セラミックス層
８　バックル
９　補給口カバー
１０　給水口カバー
１１　電池キャップカバー
１２　給水口
１３　水の補給口
１４　取っ手
１５、１５ａ　マグネット
１６　モーター
１７　電池
１８　スクリューケース
１９　コネクター
２０　容器本体
２１　上蓋
２２　底蓋
２３　操作パネル
２４　コップ
Ａ，Ｂ　水の流れ
【図１】
2004089788.tif 000004
【図２】
2004089788.tif 000005
【図３】
2004089788.tif 000006
【図４】
2004089788.tif 000007